(57)【特許請求の範囲】
【請求項１】
撮像処理を行うカメラの筐体に、
被写体を撮像するための撮影レンズと、
前記撮像処理に関する状態を表示する表示部と、
を備え、
前記撮影レンズは前記筐体の前面に配置され、
前記表示部は前記筐体の天面に配置され、
前記筐体の天面は、録画状態を表示する前記表示部が発した光が前記被写体から視認できないように、前面側よりも背面側が低くなるように傾斜して構成されることを特徴とするウェアラブルカメラ。
【請求項２】
前記表示部は発光体により構成されることを特徴とする請求項１に記載のウェアラブルカメラ。
【請求項３】
前記表示部は前記筐体の天面の中央部分よりも背面側の領域に配置されることを特徴とする請求項１に記載のウェアラブルカメラ。
【請求項４】
前記筐体の天面が成す傾斜角度は、水平面に対して所定角度以上であることを特徴とする請求項１に記載のウェアラブルカメラ。
【請求項５】
前記筐体の天面は、前面側よりも背面側が低くなるように段差を持って構成され、
前記表示部は前記段差の背面側の天面に配置されて構成されることを特徴とする請求項４に記載のウェアラブルカメラ。
【請求項６】
撮像処理を行うカメラの筐体に、
被写体を撮像するための撮影レンズと、
前記撮像処理に関する状態を表示する表示部と、
を備え、
前記撮影レンズは前記筐体の前面に配置され、
前記表示部は前記筐体の天面に配置され、
前記筐体の天面と前面との成す角度が、録画状態を表示する前記表示部が発した光が前記被写体から視認できないように、天面と背面との成す角度よりも小さくなるように構成されることを特徴とするウェアラブルカメラ。
【請求項７】
撮像処理を行うカメラの筐体に、
被写体を撮像するための撮影レンズと、
前記撮像処理に関する状態を表示する表示部と、
を備え、
前記撮影レンズは前記筐体の前面に配置され、
前記表示部は前記筐体の天面に配置され、
前記筐体の天面は、録画状態を表示する前記表示部が発した光が前記被写体から視認できないように前記天面の前面側の領域により遮られるように構成されることを特徴とするウェアラブルカメラ。
【発明の詳細な説明】
【技術分野】
【０００１】
本発明は、警察官等の警備を行う者が装着して利用するウェアラブルカメラに関する。
【背景技術】
【０００２】
近年、ウェアラブルカメラと呼ばれ、利用者に装着して周囲の状況の映像を録画可能なカメラ装置が知られている。このようなカメラ装置は、警ら中の警察官等にも装着されて活用されている。
【０００３】
カメラ装置は、警察官等の行動の邪魔にならないように制服の例えば胸部に装着される。この場合、カメラ装置は、確実に映像の録画（撮像処理）が行われているか否かを、カメラ装置の天面に設けたＬＥＤ（Ｌｉｇｈｔ  Ｅｍｉｔｔｉｎｇ  Ｄｉｏｄｅ）の発光や音声により警察官等に通知する。
【０００４】
このような警ら中の警察官等に装着されて活用されるウェアラブルカメラとして、撮像レンズ表面の汚れを検出したときに警報を出すことで適切な録画が行えるようにするウェアラブルカメラの技術が知られている（特許文献１）。
【先行技術文献】
【特許文献】
【０００５】
【特許文献１】特開２０１２−２０５１６３号公報
【発明の概要】
【発明が解決しようとする課題】
【０００６】
しかしながら、従来のウェアラブルカメラでは、警察官等が不審者等と接触したときに、録画状態を表示するＬＥＤの発光や通知音声に気付いて逆上した不審者から襲われる、或いは拳銃で撃たれる危険性が高くなるという問題があった。
【０００７】
特に、ＬＥＤの発光は警察官等の胸部の位置まで不審者等に教えてしまうことになり問題が深刻であった。このため、警察官等からは録画状態を示すＬＥＤランプの発光が視認でき、かつ、不審者等からはそのＬＥＤの発光が見えないようにする必要があった。
【０００８】
本発明は、このような従来技術の課題を解決するべく案出されたものであり、その主な目的は、録画状態を表示するＬＥＤの発光を前方から視認できないようにすることが可能なウェアラブルカメラを提供することにある。
【課題を解決するための手段】
【０００９】
本発明のウェアラブルカメラは、撮像処理を行うカメラの筐体に、被写体を撮像するための撮影レンズと、前記撮像処理に関する状態を表示する表示部と、を備え、前記撮影レンズは前記筐体の前面に配置され、前記表示部は前記筐体の天面に配置され、前記筐体の天面は、録画状態を表示する前記表示部が発した光が前記被写体から視認できないように、前面側よりも背面側が低くなるように傾斜して構成される。
【発明の効果】
【００１０】
本発明によれば、上述の構成によって、録画状態を表示するＬＥＤの発光を前方から視認できないようにすることが可能なウェアラブルカメラを提供できる。
【図面の簡単な説明】
【００１１】
【図１】第１実施形態におけるウェアラブルカメラの装着状態を示す図
【図２】第１実施形態におけるウェアラブルカメラの斜視図
【図３】第１実施形態におけるウェアラブルカメラの天面図
【図４】第１実施形態におけるウェアラブルカメラの正面図
【図５】第１実施形態におけるウェアラブルカメラの側面図（右側面図）
【図６】第１実施形態におけるウェアラブルカメラのブロック図
【図７】第１実施形態におけるウェアラブルカメラの天面の傾斜角の必要角度を示す図
【図８】第２実施形態におけるウェアラブルカメラの天面図
【図９】図８に示したウェアラブルカメラのＡ−Ａ断面について天面部分の構成を拡大して示した図
【発明を実施するための形態】
【００１２】
前記課題を解決するためになされた本発明は、撮像処理を行うカメラの筐体に、被写体を撮像するための撮影レンズと、前記撮像処理に関する状態を表示する表示部と、を備え、前記撮影レンズは前記筐体の前面に配置され、前記表示部は前記筐体の天面に配置され、前記筐体の天面は、前面側よりも背面側が低くなるように傾斜して構成されることを特徴とするウェアラブルカメラである。
【００１３】
これによって、録画状態を表示するＬＥＤの発光を前方から視認できないようにすることが可能なウェアラブルカメラを提供できる。
【００１４】
また、本発明は更に、前記表示部が前記筐体の天面の中央部分よりも背面側の領域に配置されるものである。
【００１５】
これによって、天面の前面側に対して、表示部が位置する高さを低くできるので、表示部が発光体であっても被写体側から隠すことができる。
【００１６】
また、本発明は更に、前記筐体の天面が成す傾斜角度は、水平面に対して所定角度以上であるものである。
【００１７】
これによって、被写体が近接した場合でも、被写体側から表示部を隠すことができる。
【００１８】
また、本発明は更に、前記筐体の天面は、前面側よりも背面側が低くなるように段差を持って構成され、前記表示部は前記段差の背面側の天面に配置されて構成されるものである。
【００１９】
これによって、傾斜角度が所定角度以上取れない場合でも、被写体側から表示部を隠すことができる。
【００２０】
また、本発明は、撮像処理を行うカメラの筐体に、被写体を撮像するための撮影レンズと、前記撮像処理に関する状態を表示する表示部と、を備え、前記撮影レンズは前記筐体の前面に配置され、前記表示部は前記筐体の天面に配置され、前記筐体の天面と前面との成す角度が、天面と背面との成す角度よりも小さくなるように構成されることを特徴とするウェアラブルカメラである。
【００２１】
これによって、録画状態を表示するＬＥＤの発光を前方から視認できないようにすることが可能なウェアラブルカメラを提供できる。
【００２２】
また、本発明は、撮像処理を行うカメラの筐体に、被写体を撮像するための撮影レンズと、前記撮像処理に関する状態を表示する表示部と、を備え、前記撮影レンズは前記筐体の前面に配置され、前記表示部は前記筐体の天面に配置され、前記筐体の天面は、前記表示部が発した光が前記被写体から視認できないように前記天面の前面側の領域により遮られるように構成されることを特徴とするウェアラブルカメラである。
【００２３】
これによって、録画状態を表示するＬＥＤの発光を前方から視認できないようにすることが可能なウェアラブルカメラを提供できる。
【００２４】
以下、本発明の実施形態について、図面を参照して説明する。
【００２５】
（第１の実施形態）
図１は、第１実施形態におけるウェアラブルカメラ１００の装着状態を示す図である。図１において、ウェアラブルカメラ１００は、利用者である警察官１０の制服の胸部に装着される。
【００２６】
ウェアラブルカメラ１００は、専用の装着具により装着されても良いし、警察官１０の制服のポケットに入れて装着されてもよい。図１では前者の装着具による方法で装着されていてウェアラブルカメラ１００全体が見えている状態である。
【００２７】
なお、ウェアラブルカメラ１００は、後述するようにレンズ部分がカメラ前面の上部に位置する構成のため、後者のように警察官１０の制服のポケットに入れていてもレンズ部分さえポケットから出ていれば撮影が可能になっている。
【００２８】
ウェアラブルカメラ１００は、警察官１０の操作により、警ら中は常時、或いは必要に応じて不審者２０等を含む周囲の状況の映像を撮像する。また、撮像状況は後述するようにウェアラブルカメラ１００の天面に配されたＬＥＤの発光により警察官１０から視認可能になっている。
【００２９】
図２は、第１実施形態におけるウェアラブルカメラ１００の斜視図である。図２において、ウェアラブルカメラ１００は、略矩形箱状に形成された筐体の前面に被写体を撮像するための撮像レンズ１０１、録画開始の操作をするための録画ボタン１０２、静止画を撮影する操作をするためのスナップショットボタン１０３を備える。
【００３０】
また、筐体の天面には、各種（例えば、録画状態、通信に関する状態、録画記録残量の状態、バッテリ残量低下の状態等）の撮像に関する状態を表示するための表示部である複数のＬＥＤ１０４を備える。
【００３１】
また、筐体の側面（図２では左側面）には、ウェアラブルカメラ１００の電源をオン・オフするためのスライドスイッチである電源スイッチ１０５、その他に音声ミュート等のボタン類を備える。
【００３２】
図３〜図５は、第１実施形態におけるウェアラブルカメラ１００の三面図である。図３は、第１実施形態におけるウェアラブルカメラ１００の天面図、図４は、第１実施形態におけるウェアラブルカメラ１００の正面図、図５は、第１実施形態におけるウェアラブルカメラ１００の側面図（右側面図）である。
【００３３】
図３〜図５において、図２で説明したものには同一の符号を付して説明は省略する。図３に示す天面図において、点線で囲んだ部分がすべてＬＥＤ１０４である。ここでは視認性向上のため表示する項目によりＬＥＤ１０４の形状を変えている。例えばバッテリ残量低下の状態等の表示には矩形のＬＥＤを用い、録画中状態等の表示には円形のＬＥＤを用いている。
【００３４】
また、後述するように筐体の天面を傾斜させる構成とした場合にＬＥＤ１０４が位置する高さを低くするために、ＬＥＤ１０４は天面の中央部分よりも背面側の領域に配置されている。
【００３５】
また、図５に示す側面図において、筐体の側面（右側面）には、ウェアラブルカメラ１００の通信機能をオン・オフするためのスライドスイッチである通信スイッチ１０６、その他にモード切り替え等のスライドスイッチ類を備える。
【００３６】
ここで、本実施形態におけるウェアラブルカメラ１００において、最も特徴的なことは図５に示す側面図から明らかなように、筐体の天面が、撮像レンズ１０１を配した前面側よりも背面側が低くなるように傾斜して構成されていることである。
【００３７】
別の言葉で言い換えると、筐体の天面と前面との成す角度が、天面と背面との成す角度よりも小さくなるように構成されていることである。
【００３８】
更に別の言葉で言い換えると、筐体の天面上のＬＥＤ１０４が発した光が被写体から視認できないように、すなわち被写体から見てその光が天面の前面側の領域により遮られるように、筐体の天面が構成されていることである。
【００３９】
図６は、第１実施形態におけるウェアラブルカメラ１００のブロック図である。ウェアラブルカメラ１００は、撮像部２０１、キー入力部２０２、状態表示部２０３、通信制御部２０４、記憶部２０５、マイク２０６により音声を入力する音声入力部２０７、電源部２０８、ウェアラブルカメラ１００の各部を制御するカメラ制御部２０９を備える。
【００４０】
撮像部２０１は、図２において説明した撮像レンズ１０１および撮像素子２１０により構成される。撮像部２０１は、カメラ制御部２０９の制御により被写体を撮像し、撮像した画像を出力する。撮像部２０１により撮像された画像（撮像画像）は、例えば、動画、静止画を含み、撮像画像には、不審者２０、通行者、人以外の物体等が含まれる。
【００４１】
キー入力部２０２は、図２において説明した録画ボタン１０２、スナップショットボタン１０３、電源スイッチ１０５等により構成され各種キー入力を行う。
【００４２】
状態表示部２０３は、図２において説明した複数のＬＥＤ１０４で構成される。状態表示部２０３は、カメラ制御部２０９の制御により撮像部２０１の撮像状態、通信制御部２０４の通信状態、記憶部２０５に記憶する撮像画像の記録残量の状態、電源部２０８のバッテリ残量低下の状態等を表示する。
【００４３】
通信制御部２０４は、ウェアラブルカメラ１００の外部と無線回線を介して通信する。通信制御部２０４による通信方式は、例えば、無線ＬＡＮ（Ｌａｃａｌ  Ａｒｅａ  Ｎｅｔｗｏｒｋ）、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎ）、Ｚｉｇｂｅｅ（登録商標）、を含む。
【００４４】
記憶部２０５は、フラッシュメモリ等で構成され、例えば、撮像部２０１による撮像画像の他、ウェアラブルカメラ１００の装置情報、設定情報等を記憶する。
【００４５】
マイク２０６および音声入力部２０７は、撮像部２０１が行う撮像とともに、あるいは独立して、ウェアラブルカメラ１００の周辺の音声を収録する。
【００４６】
電源部２０８は、ウェアラブルカメラ１００が動作するための電力を各部へ供給する。電源部２０８は、１次電池や２次電池等の電池で構成されている場合と、（図示しない）外部端子により、例えば警察官１０が腰部に装着した補助電源から電源が入力される場合とがある。
【００４７】
カメラ制御部２０９は、ウェアラブルカメラ１００の全体を統括し、各種制御、演算、判定を実行する。上述したようにウェアラブルカメラ１００の状態を状態表示部２０３に表示するのも、このカメラ制御部２０９が行う。
【００４８】
カメラ制御部２０９は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＰＵ（Ｃｅｎｔｒａｌ  Ｐｒｏｃｅｓｓｉｎｇ  Ｕｎｉｔ）等を有する。例えば、ＣＰＵがＲＯＭに保持されたプログラムを実行することにより、ウェアラブルカメラ１００が備える各種機能を実現する。
【００４９】
図７は、第１実施形態におけるウェアラブルカメラ１００の天面の傾斜角の必要角度を示す図である。以下、図７に従って警察官１０と不審者２０が対峙した場合の、警察官１０が装着したウェアラブルカメラ１００の天面の位置と、不審者２０の目線の位置との関係を説明しながら、ウェアラブルカメラ１００の天面の傾斜角の必要角度を示す。
【００５０】
＜標準的な条件の場合＞
符号３０１は、警察官１０の身長を１８０ｃｍと仮定した場合の胸元に装着したウェアラブルカメラ１００の位置を示している。符号３０２の二点鎖線は、その場合のウェアラブルカメラ１００の天面の傾斜角（垂線に対して８０度、すなわち水平線に対しては１０度としている）の正面方向への延長線を示している。
【００５１】
他方、符号３０３は、不審者２０の身長を１８０ｃｍと仮定した場合の目線の位置を示している。符号３０４の実線は、その場合の符号３０１で示すウェアラブルカメラ１００の天面への目線の正面方向への延長線を示している。警察官１０と不審者２０が２ｍの距離まで近づいた場合、その目線の角度は垂線に対して８１．９９度、すなわち水平線に対しては８．０１度である。
【００５２】
上記の場合、ウェアラブルカメラ１００の天面の傾斜角（１０度）の方が、不審者２０からの目線の角度（８．０１度）より十分に大きいため、天面上に配置されたＬＥＤ１０４の光はウェアラブルカメラ１００の天面の前面側の領域により遮られて、不審者２０からは視認できない。
【００５３】
警察官１０の平均身長と、一般人に当たる不審者２０の平均身長とを考慮（採用に身長制限のある警察官の身長が高い場合が多くなる）すると、不審者２０の目線位置はさらに下がるため、上記考察したようにウェアラブルカメラ１００の天面の傾斜角が１０度以上あれば十分である。
【００５４】
なお、上記では警察官１０および不審者２０の身長を１８０ｃｍと仮定して傾斜角を算出たが、平均身長は国や地域により差がある。しかし、その場合でも、警察官と一般人との平均身長との関係性は保たれると考えられるため、上記考察は国や地域によらず有効である。
【００５５】
＜条件を厳しくした場合＞
符号３０５は、装着位置を５ｃｍ下げた（または、警察官１０の身長を１７５ｃｍと仮定した）場合のウェアラブルカメラ１００の位置を示している。符号３０６の二点鎖線は、その場合のウェアラブルカメラ１００の天面の傾斜角（垂線に対して８０度、すなわち水平線に対しては１０度としている）の正面方向への延長線を示している。
【００５６】
他方、符号３０７は、不審者２０の目線の位置を２．５ｃｍ上げた（または、不審者２０の身長を１８２．５ｃｍと仮定した）場合の目線の位置を示している。符号３０８の実線は、その場合の符号３０５で示すウェアラブルカメラ１００の天面への目線の正面方向への延長線を示している。警察官１０と不審者２０が２ｍの距離まで近づいた場合、その目線の角度は垂線に対して７７．８度、すなわち水平線に対しては１２．２度である。
【００５７】
上記の場合、ウェアラブルカメラ１００の天面の傾斜角（１０度）が、不審者２０からの目線の角度（１２．２度）より小さくなってしまうため、天面上に配置されたＬＥＤ１０４の光が不審者２０から見えてしまう。このため、天面上に配置されたＬＥＤ１０４の光が不審者２０からは視認できないようにするためには、ウェアラブルカメラ１００の天面の傾斜角を少なくとも１２．２度、好ましくは１３度以上まで大きくする必要がある。
【００５８】
以上、考察したようにウェアラブルカメラ１００の天面の傾斜角が１０度以上、好ましくは１３度以上あればよい。
【００５９】
なお、ウェアラブルカメラ１００の天面の傾斜角が何度まで許されるかについては、警察官１０が視線を落として視認するには４５度相当までが妥当である。但し、警察官１０の制服の材質によっては、天面を傾斜させると、今度はＬＥＤ１０４の光がその制服に反射するという問題が起こるため、天面の傾斜角は好ましくは小さければ小さい程よい（勿論、好ましくは１３度以上である必要がある）。
【００６０】
以上説明したように、本実施形態におけるウェアラブルカメラ１００はその筐体の天面が、前面側よりも背面側が低くなるように傾斜して構成されている。別の言葉で言い換えると、筐体の天面と前面との成す角度が、天面と背面との成す角度よりも小さくなるように構成されている。更に別の言葉で言い換えると、筐体の天面上のＬＥＤ１０４が発した光が被写体から視認できないように、すなわち被写体から見てその光が天面の前面側の領域により遮られるように、筐体の天面が構成されている。
【００６１】
これにより録画状態を表示するＬＥＤの発光を前方から視認できないようにすることができる。
【００６２】
また、筐体の天面上のＬＥＤ１０４が天面の中央部分よりも背面側の領域に配置されるものである。
【００６３】
これによって、天面の前面側に対して、表示部が位置する高さを低くできるので、表示部が発光体であっても被写体側から隠すことができる。
【００６４】
また、筐体の天面が成す傾斜角度は、水平面に対して１０度以上、好ましくは１３度以上であるものである。
【００６５】
これによって、被写体が近接した場合でも、被写体側から表示部を隠すことができる。
【００６６】
なお、ウェアラブルカメラ１００は胸部に装着されて使用されることが望ましいが、警察官１０が横を向いたときにウェアラブルカメラ１００が不審者２０に正対するように他の部位、例えば、肩口等に装着されてもよい。
【００６７】
（第２の実施形態）
第２の実施形態では、第１の実施形態で示したウェアラブルカメラ１００の天面の構成とは異なる構成について説明する。
【００６８】
特に、第１の実施形態で好ましいとして示したウェアラブルカメラ１００の天面の傾斜角が確保できない場合についても言及する。傾斜角が確保できない場合とは、実装における制約の他、制服等への光の反射の問題がある場合である。
【００６９】
図８〜図９は、第２実施形態におけるウェアラブルカメラ１００の天面の傾斜角と段差について示す図である。図８は、第２実施形態におけるウェアラブルカメラ１００の天面図である。なお、第１実施形態におけるウェアラブルカメラ１００と重複する部分は同一の符号を用いて説明する。
【００７０】
図８において、ウェアラブルカメラ１００の天面は、天面に設けた段差部４０１により段差下面４０２と段差上面４０３が形成されている。撮像レンズ１０１が配置された前面から見て天面の背面側の領域に網掛けで示す部分が段差下面４０２に当たる。
【００７１】
段差下面４０２には、ＬＥＤ１０４が配置される。その場合、ＬＥＤ１０４は、段差下面４０２上の段差部４０１寄りの領域に配置されている。
【００７２】
ここで、本実施形態におけるウェアラブルカメラ１００において、最も特徴的なことは上記説明から明らかなように、筐体の天面が前面側よりも背面側が低くなるように段差を持って構成され、ＬＥＤ１０４が段差部４０１の背面側の天面に配置されて構成されていることである。
【００７３】
図９は、図８に示したウェアラブルカメラ１００のＡ−Ａ断面について天面部分の構成を拡大して示した図である。
【００７４】
図９において、ウェアラブルカメラ１００の天面は、前面側の段差上面４０３よりも背面側の段差下面４０２が低くなるように、高さ１．５ｍｍの段差部４０１を持って構成される。なお、天面の傾斜角は第１の実施形態の場合と同じく１０度としている。
【００７５】
符号４０４の点線は、段差部４０１と段差上面４０３が成す角の頂点と、段差下面４０２と背面が成す角の頂点と、を結んだ天面の仮想的な傾斜角を示す。その傾斜角の角度は垂線に対して６８．３８度、すなわち水平線に対しては２１．６２度である。
【００７６】
すなわち、本実施形態における構成によれば、実際の天面の傾斜角が１０度であっても仮想的な傾斜角は２１．６２度が確保できる。このため、天面を傾斜させる角度を最小限に抑えることができ、例えば、警察官１０の制服の材質によっては、天面を傾斜させると、今度はＬＥＤ１０４の光がその制服に反射するという問題が起こるような場合に非常に有効である。
【００７７】
以上説明したように、ウェアラブルカメラ１００の筐体の天面は、前面側よりも背面側が低くなるように段差を持って構成され、表示部は前記段差の背面側の天面に配置されて構成されるため、傾斜角度が１０以上、または好ましい１３度以上取れない場合でも、被写体側から表示部を隠すことができる。
【００７８】
また、表示部は背面側の天面の段差下面４０２の段差部４０１寄りの領域に配置されるため、被写体が近接した場合でも、被写体側から表示部を隠すことができる。
【００７９】
なお、段差下面４０２の傾斜角は段差上面４０３と同じである必要はなく、例えば段差下面４０２は水平であってもよい。
【産業上の利用可能性】
【００８０】
本発明は、警察官等の警備を行う者が装着して利用するウェアラブルカメラ等に有用である。
【符号の説明】
【００８１】
１０  警察官
２０  不審者
１００  ウェアラブルカメラ
１０１  撮像レンズ
１０２  録画ボタン
１０３  スナップショットボタン
１０４  ＬＥＤ
１０５  電源スイッチ
１０６  通信スイッチ
２０１  撮像部
２０２  キー入力部
２０３  状態表示部
２０４  通信制御部
２０５  記憶部
２０６  マイク
２０７  音声入力部
２０８  電源部
２０９  カメラ制御部
２１０  撮像素子
４０１  段差部
４０２  段差下面
４０３  段差上面 
【要約】
【課題】録画状態を表示するＬＥＤの発光を前方から視認できないようにすることが可能なウェアラブルカメラを提供する。
【解決手段】ウェアラブルカメラは、撮像処理を行うカメラの筐体に、被写体を撮像するための撮影レンズと、前記撮像処理に関する状態を表示する表示部と、を備え、前記撮影レンズは前記筐体の前面に配置され、前記表示部は前記筐体の天面に配置され、前記筐体の天面は、前面側よりも背面側が低くなるように傾斜して構成される。
【選択図】図２【図１】
0005861046.tif 000002
【図２】
0005861046.tif 000003
【図３】
0005861046.tif 000004
【図４】
0005861046.tif 000005
【図５】
0005861046.tif 000006
【図６】
0005861046.tif 000007
【図７】
0005861046.tif 000008
【図８】
0005861046.tif 000009
【図９】
0005861046.tif 000010